(57)【要約】【課題】遊技者が視認できるように設けられた可動可能な変動表示器と、前記変動表示器の後方に演出役物を備え、前記変動表示器の可動で、前記演出役物が遊技者に視認できるようにすることにより、遊技領域での変動表示器の大型化によるデザインの制限や、演出効果を損なうことなく、遊技者の興趣を高めることのできる、遊技機の表示装置を提供する。【解決手段】遊技機に遊技者が視認できるように設けられた可動可能な、数字，文字，図柄等の表示記号を変動表示する変動表示器と、前記変動表示器を可動させる駆動部と、前記変動表示器の後方に設けられた演出役物と、を備え、前記変動表示器が可動することにより、該変動表示器の後方に設けられた前記演出役物が遊技者に視認できるようにした。【選択図】図２
2007181484.tif 000002
【特許請求の範囲】
【請求項１】
遊技機に遊技者が視認できるように設けられた可動可能な、数字，文字，図柄等の表示記号を変動表示する変動表示器と、前記変動表示器を可動させる駆動部と、前記変動表示器の後方に設けられた演出役物と、を備え、前記変動表示器が可動することにより、該変動表示器の後方に設けられた前記演出役物が遊技者に視認できるようにしたことを特徴とする遊技機の表示装置。
【発明の詳細な説明】
【技術分野】
【０００１】
本発明は、遊技機の遊技領域に設けられた、特に遊技条件により変動する遊技機の表示装置に関する。
【背景技術】
【０００２】
一般に、遊技機の多くは遊技領域の中央付近に中央役物が設けられている。前記中央役物としては、数字，文字，図柄等の表示記号を変動表示する変動表示器から成る表示装置と、その下に位置する始動入賞口等で構成されている。そして、遊技領域の下方位置には、一度に多くの遊技玉を発生させる賞品玉発生入賞口が設けられている。前記構成の遊技機は、前記始動入賞口に遊技玉が入賞すると、前記変動表示器の表示図柄が変動し、該変動表示器の表示図柄が予め決められた所定の組合せになったときに、前記賞品玉発生入賞口が開閉し一度に多くの遊技玉を入賞可能とさせて、多量の賞品玉を発生させるようになっている。
【０００３】
遊技機の表示装置としては、特許文献１に示すものがある。
この文献に明示された遊技機の表示装置は、近年遊技への興趣の向上のために前記変動表示器の表示形態が複雑となり変動表示器が大型化しつつあり、遊技機の遊技領域における変動表示器の占める割合がかなり大きくなってきている 。
【０００４】
【特許文献１】特開平１０−２７７２２１号
【発明の開示】
【発明が解決しようとする課題】
【０００５】
このように、前記変動表示器で所定の決められた図柄の組合せによって賞品玉発生入賞口の開閉動作の開始をするが、遊技領域での変動表示器の占める割合が大きくなると、例えば遊技領域上に配置される賞品玉発生入賞口や、他の盤面部品を配置するためのスペースに余裕が少なくなり、デザインの制限やゲーム性の演出効果が遊技者にとって魅力的なものとすることが困難となる可能性がある。
【０００６】
また、変動表示器の大きさを制限しデザインや演出効果を向上させた場合には、変動表示器での表示形態が遊技者にとって魅力的でなくなる可能性がある。
【０００７】
そこで、本発明は上記課題を鑑み、遊技者が視認できるように設けられた上下方向のいずれかに可動可能な変動表示器と、前記変動表示器の後方に演出役物を備え、前記変動表示器が上下方向のいずれかの可動で、前記演出役物が遊技者に視認できるようにすることにより、遊技領域での変動表示器の大型化によるデザインの制限や、演出効果を損なうことなく、遊技者の興趣を高めることのできる、遊技機の表示装置を提供する。
【課題を解決するための手段】
【０００８】
上記問題を解決するために本発明の遊技機の表示装置は、遊技機に遊技者が視認できるように設けられた可動可能な、数字，文字，図柄等の表示記号を変動表示する変動表示器と、前記変動表示器を可動させる駆動部と、前記変動表示器の後方に設けられた演出役物と、を備え、前記変動表示器が可動することにより、該変動表示器の後方に設けられた前記演出役物が遊技者に視認できるようにしたことを特徴とする。
【発明の効果】
【０００９】
本発明によれば、変動表示器を可動させることで演出役物が遊技者に視認できるようにしたことで、遊技者の視線が集中する変動表示器の後側に演出役物が出現し視認でき、遊技に意外性をもたせて遊技者の好奇心を増大させることができ、変動表示器を大型化することなく演出効果を向上させることが可能となる。
【００１０】
また、遊技領域での変動表示器の占める割合を特段大きくする必要が無く、遊技領域を有効に利用してデザインや、ゲーム性の向上を図ることができる。このことにより遊技者の興趣を強く惹きつけることができ、遊技の興趣を高める上で有効的であり、遊技者にとって魅力的な遊技機とすることができる。
【発明を実施するための最良の形態】
【００１１】
以下、本発明の実施形態を図面に基づいて説明する。
【実施例１】
【００１２】
図１は、表示装置を備えた遊技機１の正面図であり、前記遊技機１の前面にはガラス扉（不図示）越しに遊技領域２を有し、該遊技領域２のほぼ中央位置に、表示枠体１１と、該表示枠体１１に設けた、数字，文字，図柄等の表示記号を変動表示する変動表示器１２とを有した表示装置１０と、該表示装置１０の下方位置に始動入賞口３と、前記遊技領域２の下方位置に賞品玉発生入賞口４とが配置されている。
【００１３】
また、遊技機１の下方位置には打玉供給皿５、余剰玉受皿７及び、遊技玉発射用の操作ハンドル６をそれぞれ備えている。
【００１４】
前記遊技機１の一般的な遊技方法としては、遊技者は遊技玉を打玉供給皿５に投入し、操作ハンドル６の操作により遊技玉を遊技領域２内へ発射させる。前記遊技領域２内を自由落下した遊技玉が始動入賞口３に入賞した場合には、前記変動表示器１２が抽選のための変動を開始する。抽選による前記変動表示器１２での表示図柄が定められた所定の組合せになったときに、前記賞品玉発生入賞口４が連続開閉を開始する。
【００１５】
前記賞品玉発生入賞口４が連続開閉の動作時には、操作ハンドル６の操作によって連続的に遊技領域２に発射されている遊技玉は、前記賞品玉発生入賞口４の連続開閉により、該賞品玉発生入賞口４に多くの遊技玉が入賞可能となる。
【００１６】
前記賞品玉発生入賞口４に入賞した遊技玉に対しての賞品玉が打玉供給皿５に払出され、前記打玉供給皿５に収まりきれなくなった賞品玉は、余剰玉受皿７へと払出しが切り替わる。このことにより遊技者は多量の賞品玉を一度に得ることができる。
【００１７】
つぎに、図２〜図８は遊技機１備わる本発明の表示装置１０の斜視図及び平面図であり、前記表示装置１０は、正面側に開口部１８を有し、左右側の壁面に上下方向に長穴形状の表示部誘導溝１３を設けた表示枠体１１と、前記表示枠体１１の開口部１８の後方に、左右側の面に前記表示部誘導溝１３にスライド可能に係合して上下方向の可動を誘導する係合突起１４ａ及び、誘導突起１４ｂを有した、数字，文字，図柄等の表示記号を変動表示する変動表示器（例えば、液晶装置）１２が備わる。
【００１８】
前記表示枠体１１の背面側には前記変動表示器１２を可動させる表示器駆動部（モーター）１５と、前記表示器駆動部（モーター）１５からの駆動を前記変動表示器１２へ伝達する固定された伝達ギヤを有した駆動伝達シャフト１６と、該駆動伝達シャフト１６の両端に片側端部側を固定し、他方端部側に前記係合突起１４ａがスライド可能に係合する長孔形状の係合孔１７ａを有した回動アーム１７が備わる。
【００１９】
前記変動表示器１２は、前記回動アーム１７の回動により、該回動アーム１７に有した係合孔１７ａに係合した係合突起１４ａ及び、前記誘導突起１４ｂがスライド可能に係合した前記表示部誘導溝１３に誘導されて上下方向に可動可能となっている。
【００２０】
前記変動表示器１２の後方には、前記表示枠体１１の底部であって、演出役物収納部１１ａ内部に設けた、前記変動表示器１２の可動により前記開口部１８越しに視認が可能な演出役物１９を有している。
【００２１】
前記表示装置１０は、遊技機１の始動入賞口３に遊技玉が入賞することにより、第一の抽選手段として、変動表示器１２が変動表示を開始し、該変動表示器１２での表示図柄が定められた所定の組合せになったとき、前記表示器駆動部（モーター）１５の駆動が伝達ギヤを有した駆動伝達シャフト１６を介して回動アーム１７を回動させ、該回動アーム１７に有した係合孔１７ａに係合した前記係合突起１４ａを上方向に可動させる。
【００２２】
すなわち、回動アーム１７の回動により前記変動表示器１２に有した前記係合突起１４ａ及び、前記誘導突起１４ｂがスライド可能に係合する前記表示部誘導溝１３の誘導により上方向に可動し、該変動表示器１２後方に設けた演出役物１９が前記開口部１８越しに視認できる状態になる。
【００２３】
つぎに、前記開口部１８越しに視認できる状態になった前記演出役物１９は、第ニの抽選手段として、抽選の判定表示を行う。例えば大当りの判定がされたときには、賞品玉発生入賞口４の開閉を行い該賞品玉発生入賞口４への入賞状況に対する賞品玉の払出しを行なう。
【００２４】
上記実施例では前記変動表示器１２の上方向の可動によって演出役物１９が視認可能な構成としたが、前記変動表示器１２の可動により、前記演出役物１９が前記開口部１８越しに視認できる状態であれば、可動方向は限定しない。
【００２５】
また、前記演出役物１９で抽選の判定表示方法としては、小型の変動表示器や、前記演出役物１９を可動させての抽選の判定表示等が可能である。
【００２６】
また、前記演出役物１９は抽選の判定表示の他に、例えば前記変動表示器１２での抽選結果に対する演出効果の向上用としても可能であり、前記演出役物１９の機能としては特に限定するものではない。
【産業上の利用可能性】
【００２７】
本発明の遊技機の表示装置は、変動表示器を可動させることで演出役物が遊技者に視認できるようにしたことで、遊技者の視線が集中する変動表示器の後側に演出役物が出現し視認でき、遊技に意外性をもたせて遊技者の好奇心を増大させることができ、変動表示器を大型化することなく演出効果を向上させ遊技の興趣を高める遊技機としての利用が可能である。
【図面の簡単な説明】
【００２８】
【図１】本発明の表示装置を備えた遊技機の構成を示す正面平面図である。
【図２】本発明の表示装置で変動表示器が開いた状態の構成を示す正面斜視図である。
【図３】本発明の表示装置で変動表示器が開いた状態の構成を示す背面斜視図である。
【図４】本発明の表示装置で変動表示器が閉じた状態の構成を示す正面斜視図である。
【図５】本発明の表示装置で変動表示器が閉じた状態の構成を示す背面斜視図である。
【図６】本発明の表示装置の正面平面図である。
【図７】本発明の表示装置の側面平面図である。
【図８】本発明の表示装置の下面平面図である。
【符号の説明】
【００２９】
１  遊技機
２  遊技領域
３  始動入賞口
４  賞品玉発生入賞口
５  打玉供給皿
６  操作ハンドル
７  余剰玉受皿
１０  表示装置（中央役物）
１１  表示枠体
１１ａ  演出役物収納部
１２  変動表示器
１３  表示部誘導溝
１４ａ  係合突起
１４ｂ  誘導突起
１５  表示器駆動部
１６  駆動伝達シャフト
１７  回動アーム
１７ａ  係合孔
１８  開口部
１９  演出役物
【図１】
2007181484.tif 000003
【図２】
2007181484.tif 000004
【図３】
2007181484.tif 000005
【図４】
2007181484.tif 000006
【図５】
2007181484.tif 000007
【図６】
2007181484.tif 000008
【図７】
2007181484.tif 000009
【図８】
2007181484.tif 000010